(57)【要約】【課題】プラスチック製遊技盤を反りが生じることなく省スペースで保管、運搬できるようにし、その遊技盤の品質を向上させる。【解決手段】外周縁に補強リブ２が額縁状に形成され、少なくとも四隅に貫通孔３が形成され、その内側領域に肉厚部４が形成され、中央部には窓孔５が形成された複数枚のプラスチック製遊技盤１を保管するための治具であって、一端に拡径状基部材１１が設けられた棒状部材１０と、該棒状部材の他端に止着される緊締部材１２と、外周に鍔部１４が形成された筒状体１３とからなり、該筒状体を前記貫通孔３に遊嵌し、鍔部１４が遊技盤間に挟まれるように遊技盤１を積み重ね、該筒状体中に棒状部材１０を串通し、該棒状部材の他端に緊締部材１２を止着することで遊技盤１を緊縛する。【選択図】図１
2011005093.tif 000002
【特許請求の範囲】
【請求項１】
外周縁に補強リブが額縁状に形成され、少なくとも四隅に貫通孔が形成され、その内側領域に肉厚部が形成され、中央部には窓孔が形成された複数枚のプラスチック製遊技盤を保管するための治具であって、一端に拡径状基部材が設けられた棒状部材と、該棒状部材の他端に止着される緊締部材と、外周に鍔部が形成された筒状体とからなり、該筒状体を前記遊技盤の貫通孔に遊嵌し、該筒状体の鍔部が遊技盤間に挟まれるように複数枚の遊技盤を積み重ね、該筒状体中に前記棒状部材を串通し、該棒状部材の他端に前記緊締部材を止着することで複数枚の遊技盤が緊縛されるようにしたことを特徴とする遊技盤保管用治具。
【請求項２】
外周縁に補強リブが額縁状に形成され、少なくとも四隅に貫通孔が形成され、その内側領域に肉厚部が形成され、中央部には窓孔が形成された複数枚のプラスチック製遊技盤を保管するための方法であって、外周に鍔部が形成された筒状体を前記遊技盤の貫通孔に遊嵌し、筒状体の鍔部が遊技盤間に挟まれるようにすると共に、該遊技盤間にスペーサを介在させて、複数枚の遊技盤を積み重ね、一端に拡径状基部材が設けられた棒状部材を該筒状体中に串通した後、該棒状部材の他端に緊締部材を止着することで複数枚の遊技盤を緊縛することを特徴とした遊技盤保管方法。
【請求項３】
外周縁に補強リブが額縁状に形成され、少なくとも四隅に貫通孔が形成され、その内側領域に肉厚部が形成され、中央部には窓孔が形成された複数枚のプラスチック製遊技盤を保管するための治具であって、一端に拡径状基部材が設けられた棒状部材と、該棒状部材の他端に止着される緊締部材と、前記窓孔の外縁部に当接する支持縁が中央部に形成されていると共に少なくとも四隅に前記貫通孔に遊嵌する筒状体が一体に形成された剛性基板とからなり、該剛性基板が遊技盤間に挟まれるように複数枚の遊技盤を積み重ね、前記筒状体中に前記棒状部材を串通し、該棒状部材の他端に前記緊締部材を止着することで複数枚の遊技盤が緊縛されるようにしたことを特徴とする遊技盤保管用治具。
【発明の詳細な説明】
【技術分野】
【０００１】
本発明は、パチンコ、アレンジボール、雀球等のパチンコ球を遊技媒体とする遊技機に用いられる遊技盤であって、該遊技盤を製造する過程、および運搬する過程において、該遊技盤に反りが発生しないように保管するための治具、および該治具を使用した遊技盤の保管方法に関するものである。
【背景技術】
【０００２】
パチンコ、アレンジボール、雀球等の遊技盤は、周知のように、ベニヤ板製またはプラスチック製で平板状に射出成形されたものであり、前面に釘や風車、入賞口等が配置されている。そして発射装置から発射された遊技球が該遊技盤の前面を釘や風車等に衝突しながら流下し、入賞口または下端部のアウト口へと流れ込むようにするものであり、遊技者はその遊技球の動きを見て楽しむものであるので、該遊技盤が反っていると遊技球が不安定な動きをして遊技者に不愉快な思いをさせたり、遊技場に思わぬ不利益を及ぼすおそれがあった。このためこれらの遊技盤は、前面ができるだけ反りのない平面状に保たれていることが必要である。
【０００３】
ところで、近年、環境問題や経済性、およびリサイクル上や意匠上の観点から、ベニヤ板製の遊技盤よりもプラスチック製の遊技盤が増加する傾向にあるが、プラスチック製の遊技盤は、成形後の保管時に反りが生じ易いという問題があった。
なお、下記特許文献１は、ベニヤ板製の遊技盤を一枚ずつ包装材中に収容して密封し外気を遮断し防湿することにより、保管時に反りが発生するのを防止しようとするものである。
【先行技術文献】
【特許文献】
【０００４】
【特許文献１】特開２００２−６６１１３号公報
【発明の概要】
【発明が解決しようとする課題】
【０００５】
しかしながら、特許文献１に示された遊技盤の反り防止方法では、密封の手間がかかるとともに、プラスチック製の遊技盤の反りを防止することができないという問題がある。
そこで本発明は、プラスチック製遊技盤の反りを防止するのに有効な遊技盤保管用治具および遊技盤保管方法を提供しようとするものである。
【課題を解決するための手段】
【０００６】
そのために本発明に係る遊技盤保管用治具は、外周縁に補強リブが額縁状に形成され、少なくとも四隅に貫通孔が形成され、その内側領域に肉厚部が形成され、中央部には窓孔が形成された複数枚のプラスチック製遊技盤を保管するための治具であって、一端に拡径状基部材が設けられた棒状部材と、該棒状部材の他端に止着される緊締部材と、外周に鍔部が形成された筒状体とからなり、該筒状体を前記遊技盤の貫通孔に遊嵌し、該筒状体の鍔部が遊技盤間に挟まれるように複数枚の遊技盤を積み重ね、該筒状体中に前記棒状部材を串通し、該棒状部材の他端に前記緊締部材を止着することで複数枚の遊技盤が緊縛されるようにしたことを特徴とする。
また、本発明に係る遊技盤保管方法は、外周縁に補強リブが額縁状に形成され、少なくとも四隅に貫通孔が形成され、その内側領域に肉厚部が形成され、中央部には窓孔が形成された複数枚のプラスチック製遊技盤を保管するための方法であって、外周に鍔部が形成された筒状体を前記遊技盤の貫通孔に遊嵌し、筒状体の鍔部が遊技盤間に挟まれるようにすると共に、該遊技盤間にスペーサを介在させて、複数枚の遊技盤を積み重ね、一端に拡径状基部材が設けられた棒状部材を該筒状体中に串通した後、該棒状部材の他端に緊締部材を止着することで複数枚の遊技盤を緊縛することを特徴とする。
また、本発明に係る遊技盤保管用治具は、外周縁に補強リブが額縁状に形成され、少なくとも四隅に貫通孔が形成され、その内側領域に肉厚部が形成され、中央部には窓孔が形成された複数枚のプラスチック製遊技盤を保管するための治具であって、一端に拡径状基部材が設けられた棒状部材と、該棒状部材の他端に止着される緊締部材と、前記窓孔の外縁部に当接する支持縁が中央部に形成されていると共に少なくとも四隅に前記貫通孔に遊嵌する筒状体が一体に形成された剛性基板とからなり、該剛性基板が遊技盤間に挟まれるように複数枚の遊技盤を積み重ね、前記筒状体中に前記棒状部材を串通し、該棒状部材の他端に前記緊締部材を止着することで複数枚の遊技盤が緊縛されるようにしたことを特徴とする。
【発明の効果】
【０００７】
多数枚のプラスチック製遊技盤を反らせることなく省スペースで保管することができる。このため、遊技盤の保管、運搬が容易になるとともに遊技盤の品質を向上させる。
【図面の簡単な説明】
【０００８】
【図１】本発明に係る遊技盤保管用治具の使用状態を示す分解斜視図。
【図２】図１の遊技盤保管用治具の使用状態を示す縦断面図。
【図３】図２の要部の拡大図。
【図４】本発明に係る遊技盤保管用治具の使用状態を示す斜視図。
【図５】本発明に係る遊技盤保管用治具の使用状態を示す斜視図。
【図６】本発明に係る遊技盤保管用治具の使用状態を示す分解斜視図。
【図７】図６の遊技盤保管用治具の使用状態を示す縦断面図。
【発明を実施するための形態】
【０００９】
次に請求項１、２に係る発明の実施形態を図１〜図３に従い説明する。プラスチック製遊技盤１は、外周縁に補強リブ２を額縁状に形成し、四隅に遊技機本体への取付のための貫通孔３を形成し、その内側領域に多数の遊技釘や入賞口、風車等を打ち付けるために肉厚に形成された肉厚部４を形成し、中央部には液晶等の電子ディスプレイを設けるための窓孔５を形成してなる略正方形板状のものである。
【００１０】
１０は直線状の棒状部材で、該棒状部材の一端にネジ溝が形成され、該ネジ溝に拡径状基部材１１が螺合固定される。また、該棒状部材の他端にもネジ溝が形成され、該ネジ溝に緊締部材（ナット）１２を螺合し得るようにしている。
１３は外周に貫通孔３よりも大径の鍔部１４が一体に形成されたプラスチック製の筒状体で、該筒状体１３を前記遊技盤１の貫通孔３に遊嵌し、該筒状体の鍔部１４が遊技盤間に挟まれるように複数枚の遊技盤１が同一方向に積み重ねられる。そして、該筒状体１３中に棒状部材１０を串通し、該棒状部材の他端に緊締部材１２を螺合し、該緊締部材を締め付けることにより複数枚の遊技盤１を図２、図３に示したように緊縛する。なお、図３に示されるように、この緊縛時に筒状体１３どうしが突き当たらないように、筒状体１３の全長が遊技盤１の板厚よりも少し短めに形成され、鍔部１４が遊技盤間に密着状態で挟まれるようになる一方、遊技盤どうしは接触することなく隙間が形成されるようになる。
【００１１】
１５は遊技盤１間に介在させる円筒形のスペーサで、該スペーサは両端面に係合軸１６が突設され、該係合軸１６を遊技盤１の窓孔５付近の肉厚部４両面に形成された小孔１７に係合することにより位置決めされて遊技盤１間に介在し、複数枚の遊技盤１間の間隔が一定に保持されるようにしている。なお、該小孔１７は電子ディスプレイ、入賞口等の役物を組み付ける際の位置決め用孔として従来から遊技盤１に開設されているものを利用することができる。
【００１２】
このように、貫通孔３に筒状体１３を遊嵌し、該筒状体１３の鍔部１４が遊技盤間に挟まれるようにして複数枚の遊技盤１を緊縛することにより、遊技盤の保管、運搬が容易になるとともに、プラスチック成形後の反り等の変形が防止され、品質を向上させる。なお、複数枚の遊技盤１は緊縛しても該遊技盤間に鍔部１４が介在することにより互いに離間するので遊技盤の表面がキズ付くおそれもない。
また、窓孔５付近にて遊技盤１間にスペーサ１５を介在させることにより、重量により変形し易い肉厚部４の変形を効果的に防止することができる。
【００１３】
また、図４に示したように、２本の棒状部材１０の上端部間を繋ぐ逆Ｕ字状の取っ手３０を設け、運ぶ際に手で掴み易いようにすることも可能である。
また、図５に示したように、各棒状部材１０の上端部を繋ぎ遊技盤の表面全体を覆う枠状部材３１を設けることにより、各棒状部材１０を連結し、緊締部材の付け忘れや、外れを防止することができる。
【００１４】
一方、図６、図７は請求項３に係る発明の実施形態を示すもので、同図中、図１〜図３と同一符号は同一部材を示し、１は遊技盤、１０は棒状部材、１２は緊締部材である。この実施形態では、アルミニウムをダイカスト成形してなる剛性基板２０を具備する。該剛性基板２０は、中央部に支持縁２１が一体に形成され、該支持縁２１が遊技盤１の窓孔５の外縁部に当接し得るようにしている。また、該剛性基板２０の四隅に筒状体１３が該剛性基板２０の両面に突出するように一体に形成され、該筒状体１３が遊技盤１の貫通孔３に遊嵌し得るようにしている。
【００１５】
そして、該剛性基板２０が遊技盤１間に挟まれるように複数枚の遊技盤１を積み重ねるとともに、該剛性基板２０の筒状体１３中に棒状部材１０を串通し、該棒状部材１０の他端に緊締部材１２を螺合し、該緊締部材を締め付けることにより複数枚の遊技盤１を緊縛する。このように剛性基板２０を各遊技盤１間に介在させることにより、該各遊技盤１の変形が防止され、殊に該遊技盤１の窓孔５の外縁部に当接する支持縁が該剛性基板２０に形成されていることから、重量により変形し易い肉厚部４の変形を効果的に防止することができ、該遊技盤１の品質を向上させる。
【００１６】
また、これらの実施形態に示したように棒状部材１０を貫挿した緊縛した遊技盤１は、その緊縛状態にてスタッキング（積み重ね）することで、省スペースで保管・輸送することもできる。その際、下段の棒状部材１０の緊締部材１２上に上段の棒状部材１０の拡径状基部材１１を合致させることにより安定したスタッキングができる。即ち、図示したように、緊締部材１２の上面は凹状に形成され、拡径状基部材１１の下面は凸状に形成されていることから、両部材を互いに嵌合させることにより、横ズレのおそれなく安定したスタッキングができる。
【００１７】
なお、これらの実施形態では、緊締部材１２としてナットを示したが、クランプ、トグル機構、或いはジャッキ式（例えば刊行物の特開平１０−１６５７２０号公報に示されたもの）のような緊締手段を設け、ワンタッチで締付・解除ができるようにしてもよい。
また、これらの実施形態に示した筒状体１３は図示したように鍔部１４の上下両面に筒状部が形成された形態のものであるが、いずれか片面にだけ筒状部が形成された筒状体を利用することもできる。
また、遊技盤１を図示したように水平状態にて複数枚重ねた後に、竪状態にして保管してもよく、そうすることで、遊技盤の重量による変形のおそれを一層軽減することができる。
【符号の説明】
【００１８】
１      遊技盤
２      補強リブ
３      貫通孔
４      肉厚部
５      窓孔
１０    棒状部材
１１    拡径状基部材
１２    緊締部材
１３    筒状体
１４    鍔部
１５    スペーサ
２０    剛性基板
２１    支持縁
【図１】
2011005093.tif 000003
【図２】
2011005093.tif 000004
【図３】
2011005093.tif 000005
【図４】
2011005093.tif 000006
【図５】
2011005093.tif 000007
【図６】
2011005093.tif 000008
【図７】
2011005093.tif 000009